(57)【要約】【課題】本発明は、科学的根拠に基づいて信頼性の高い医療情報を提供するシステム、装置、方法及びプログラムの提供を目的とする。【解決手段】本発明は、利用者端末インタフェース（２０）と、医療に関する知識を蓄積した知識データベース（１８）と、利用者端末（２）からの個人情報及び現況情報に応じて知識データベースを参照して医療情報を作成する医療情報生成部（１９）とを有する医療情報提供装置（１）を含む。知識データベースは、体系化した医療情報データ、及び、その科学的根拠を示す評価データを、要素の区間と要素が区間に属する度合いを表す確信度区間表現の形で蓄積し、医療情報データ間の関連度も確信度区間表現の形で更に蓄積する。【選択図】        図１
2004185330.tif 000002
【特許請求の範囲】
【請求項１】
ネットワークを介して利用者端末に接続され、上記利用者端末から要求を受信し、上記利用者端末に医療情報を送信する利用者端末インタフェースと、
医療に関する知識を蓄積した知識データベースと、
上記利用者端末からの要求に応じて、上記知識データベースを参照して医療情報を作成し、上記利用者端末へ提供する医療情報生成部と、
を有する医療情報サービス提供システムであって、
上記知識データベースは、ネットワークを介して収集された医療に関する情報を体系化した医療情報データ、及び、医療情報データに対する科学的根拠を示す評価データを、データの要素の区間とデータの要素が当該区間に属する度合いとを表す確信度区間表現の形で蓄積するように構成され、
上記知識データベースは、少なくとも一部の医療情報データへ関連付けられた別の医療情報データ、及び、医療情報データ間の関連度を、確信度区間表現の形で更に蓄積するように構成され、
上記利用者端末インタフェースは、上記利用者端末から上記要求として受信した利用者の個人情報及び現況情報を、確信度区間表現の形で上記医療情報生成部へ伝達するように構成され、
上記医療情報生成部は、上記個人情報及び上記現況情報に基づいて、上記知識データベースを活用して、利用者に対する診断情報及び処方情報を上記医療情報として生成するように構成されている、
医療情報サービス提供システム。
【請求項２】
上記知識データベースは、少なくとも一部のデータにはインデックスが付けられ、インデックスが付けられたデータには少なくとも一つの階層が設けられ、各階層には少なくとも１次元以上の確信度区間表現が含まれるように構成されている、請求項１記載の医療情報サービス提供システム。
【請求項３】
ネットワークに散在しているゲノム情報と人体に関する情報が統合されたゲノム情報に基づく人体知識データベースを更に有し、
上記医療情報生成部は、
上記利用者端末インタフェースからの上記個人情報及び上記現況情報に基づいて、上記ゲノム情報に基づく人体知識データベースを活用して、ゲノム情報に基づく診断情報及び処方情報を生成する診断処理部と、
上記利用者に対する診断情報及び処方情報と、上記ゲノム情報に基づく診断情報及び処方情報を組み合わせて、利用者個人別に上記医療情報を生成する個人医療情報生成部と、
を含む、
請求項１又は２記載の医療情報サービス提供システム。
【請求項４】
医療関連知識を蓄積した知識データベースと、
利用者の個人情報及び現況情報を入力し、上記知識データベースを参照して医療情報を作成する医療情報生成部と、
を有する医療診断装置であって、
上記知識データベースは、ネットワークを介して収集された医療に関する情報を体系化した医療情報データ、及び、医療情報データに対する科学的根拠を示す評価データを、データの要素の区間とデータの要素が当該区間に属する度合いとを表す確信度区間表現の形で蓄積するように構成され、
上記知識データベースは、少なくとも一部の医療情報データへ関連付けられた別の医療情報データ、及び、医療情報データ間の関連度を、確信度区間表現の形で更に蓄積するように構成され、
上記医療情報生成部は、確信度区間表現の形に変換された上記個人情報及び上記現況情報に基づいて、上記知識データベースを活用して、利用者に対する診断情報及び処方情報を上記医療情報として生成するように構成されている、
医療情報提供装置。
【請求項５】
上記知識データベースは、少なくとも一部のデータにはインデックスが付けられ、インデックスが付けられたデータには少なくとも一つの階層が設けられ、各階層には少なくとも１次元以上の確信度区間表現が含まれるように構成されている、請求項４記載の医療情報提供装置。
【請求項６】
ネットワークに散在しているゲノム情報と人体に関する情報が統合されたゲノム情報に基づく人体知識データベースを更に有し、
上記医療情報生成部は、
上記利用者端末インタフェースからの上記個人情報及び上記現況情報に基づいて、上記ゲノム情報に基づく人体知識データベースを活用して、ゲノム情報に基づく診断情報及び処方情報を生成する診断処理部と、
上記利用者に対する診断情報及び処方情報と、上記ゲノム情報に基づく診断情報及び処方情報を組み合わせて、利用者個人別に上記医療情報を生成する個人医療情報生成部と、
を含む、
請求項４又は５記載の医療情報提供装置。
【請求項７】
ネットワークを介して医療に関する情報を収集し、収集された情報を体系化し、体系化された医療情報データ、及び、医療情報データに関連付けられた科学的根拠を示す評価データを、データの要素の区間とデータの要素が当該区間に属する度合いとを表す確信度区間表現の形で蓄積し、少なくとも一部の医療情報データへ関連付けられた別の医療情報データ、及び、医療情報データ間の関連度を、確信度区間表現の形で更に蓄積する、知識データベースを構築する手順と、
ネットワークを介して利用者端末から利用者の個人情報及び現況情報を受信し、受信した個人情報及び現況情報を確信度区間表現の形に変換する手順と、
確信度区間表現された上記個人情報及び上記現況情報に基づいて、上記知識データベースを活用して、利用者に対する診断情報及び処方情報を生成する手順と、
を有する医療情報サービス提供方法。
【請求項８】
上記知識データベースを構築する手順は、ネットワークに散在しているゲノム情報と人体に関する情報が統合されたゲノム情報に基づく人体知識データベースを更に構築し、
上記診断情報及び処方情報を生成する手順は、
上記個人情報及び上記現況情報に基づいて、上記ゲノム情報に基づく人体知識データベースを活用して、ゲノム情報に基づく診断情報及び処方情報を生成する手順と、
上記利用者に対する診断情報及び処方情報と、上記ゲノム情報に基づく診断情報及び処方情報を組み合わせて、利用者個人別に医療情報を生成する手順と、
を含む、
請求項７記載の医療情報サービス提供方法。
【請求項９】
ネットワークを介して医療に関する情報を収集し、収集された情報を体系化し、体系化された医療情報データ、及び、医療情報データに関連付けられた科学的根拠を示す評価データを、データの要素の区間とデータの要素が当該区間に属する度合いとを表す確信度区間表現の形で蓄積し、少なくとも一部の医療情報データへ関連付けられた別の医療情報のデータ、及び、データ間の関連度を、確信度区間表現の形で更に蓄積する、知識データベースを構築する機能と、
利用者の個人情報及び現況情報を確信度区間表現の形に変換する機能と、
確信度区間表現された上記個人情報及び上記現況情報に基づいて、上記知識データベースを活用して、利用者に対する診断情報及び処方情報を生成する機能と、
をコンピュータに実現させる医療情報サービス提供プログラム。
【請求項１０】
上記個人情報及び上記現況情報に基づいて、ネットワークに散在しているゲノム情報と人体に関する情報が統合されたゲノム情報に基づく人体知識データベースを活用して、ゲノム情報に基づく診断情報及び処方情報を生成する機能と、
上記利用者に対する診断情報及び処方情報と、上記ゲノム情報に基づく診断情報及び処方情報を組み合わせて、利用者個人別に医療情報を生成する機能と、
を更にコンピュータに実現させる請求項９記載の医療情報サービス提供プログラム。
【請求項１１】
ネットワークを介して利用者端末に接続され、上記利用者端末から要求を受信し、上記利用者端末に医療情報を送信する利用者端末インタフェースと、
医療に関する知識を蓄積した知識データベースと、
上記利用者端末からの要求に応じて、上記知識データベースを参照して医療情報を作成し、上記利用者端末へ提供する医療情報生成部と、
を有する医療情報サービス提供システムであって、
上記知識データベースは、ネットワークを介して収集された代替相補医療に関する情報を体系化した代替相補医療情報のデータ、及び、代替相補医療情報に対する科学的根拠を示す評価のデータを、データの要素の区間とデータの要素が当該区間に属する度合いとを表す確信度区間表現の形で蓄積するように構成され、上記知識データベースは、少なくとも一部の代替相補医療情報のデータへ関連付けられた現代医学情報のデータ、及び、データ間の関連度を、確信度区間表現の形で更に蓄積するように構成され、
上記利用者端末インタフェースは、上記利用者端末から上記要求として受信した利用者の個人情報及び現況情報を、確信度区間表現の形で上記医療情報生成部へ伝達するように構成され、
上記医療情報生成部は、上記個人情報及び上記現況情報に基づいて、上記知識データベースを活用して、代替相補医療による利用者に対する診断情報及び処方情報を上記医療情報として生成するように構成されている、
医療情報サービス提供システム。
【請求項１２】
上記知識データベースは、少なくとも一部のデータにはインデックスが付けられ、インデックスが付けられたデータには少なくとも一つの階層が設けられ、各階層には少なくとも１次元以上の確信度区間表現が含まれるように構成されている、請求項１１記載の医療情報サービス提供システム。
【請求項１３】
ネットワークに散在しているゲノム情報と人体に関する情報が統合されたゲノム情報に基づく人体知識データベースを更に有し、
上記医療情報生成部は、
上記利用者端末インタフェースからの上記個人情報及び上記現況情報に基づいて、上記ゲノム情報に基づく人体知識データベースを活用して、ゲノム情報に基づく診断情報及び処方情報を生成する診断処理部と、
上記代替相補医療による利用者に対する診断情報及び処方情報と、上記ゲノム情報に基づく診断情報及び処方情報を組み合わせて、利用者個人別に上記医療情報を生成する個人医療情報生成部と、
を含む、
請求項１１又は１２記載の医療情報サービス提供システム。
【請求項１４】
医療関連知識を蓄積した知識データベースと、
利用者の個人情報及び現況情報を入力し、上記知識データベースを参照して医療情報を作成する医療情報生成部と、
を有する医療診断装置であって、
上記知識データベースは、ネットワークを介して収集された代替相補医療に関する情報を体系化した代替相補医療情報のデータ、及び、代替相補医療情報に対する科学的根拠を示す評価のデータを、データの要素の区間とデータの要素が当該区間に属する度合いとを表す確信度区間表現の形で蓄積するように構成され、
上記知識データベースは、少なくとも一部の代替相補医療情報のデータへ関連付けられた現代医学情報のデータ、及び、データ間の関連度を、確信度区間表現の形で更に蓄積するように構成され、
上記医療情報生成部は、確信度区間表現の形に変換された上記個人情報及び上記現況情報に基づいて、上記知識データベースを活用して、代替相補医療による利用者に対する診断情報及び処方情報を上記医療情報として生成するように構成されている、
医療情報提供装置。
【請求項１５】
上記知識データベースは、少なくとも一部のデータにはインデックスが付けられ、インデックスが付けられたデータには少なくとも一つの階層が設けられ、各階層には少なくとも１次元以上の確信度区間表現が含まれるように構成されている、請求項１４記載の医療情報提供装置。
【請求項１６】
ネットワークに散在しているゲノム情報と人体に関する情報が統合されたゲノム情報に基づく人体知識データベースを更に有し、
上記医療情報生成部は、
上記利用者端末インタフェースからの上記個人情報及び上記現況情報に基づいて、上記ゲノム情報に基づく人体知識データベースを活用して、ゲノム情報に基づく診断情報及び処方情報を生成する診断処理部と、
上記代替相補医療による利用者に対する診断情報及び処方情報と、上記ゲノム情報に基づく診断情報及び処方情報を組み合わせて、利用者個人別に上記医療情報を生成する個人医療情報生成部と、
を含む、
請求項１４又は１５記載の医療情報提供装置。
【請求項１７】
ネットワークを介して代替相補医療に関する情報を収集し、収集された情報を体系化し、体系化された代替相補医療情報のデータ、及び、代替相補医療情報に関連付けられた科学的根拠を示す評価のデータを、データの要素の区間とデータの要素が当該区間に属する度合いとを表す確信度区間表現の形で蓄積し、少なくとも一部の代替相補医療情報のデータへ関連付けられた現代医学情報のデータ、及び、データ間の関連度を、確信度区間表現の形で更に蓄積する、知識データベースを構築する手順と、
ネットワークを介して利用者端末から利用者の個人情報及び現況情報を受信し、受信した個人情報及び現況情報を確信度区間表現の形に変換する手順と、
確信度区間表現された上記個人情報及び上記現況情報に基づいて、上記知識データベースを活用して、代替相補医療による利用者に対する診断情報及び処方情報を生成する手順と、
を有する医療情報サービス提供方法。
【請求項１８】
上記知識データベースを構築する手順は、ネットワークに散在しているゲノム情報と人体に関する情報が統合されたゲノム情報に基づく人体知識データベースを更に構築し、
上記診断情報及び処方情報を生成する手順は、
上記個人情報及び上記現況情報に基づいて、上記ゲノム情報に基づく人体知識データベースを活用して、ゲノム情報に基づく診断情報及び処方情報を生成する手順と、
上記代替相補医療による利用者に対する診断情報及び処方情報と、上記ゲノム情報に基づく診断情報及び処方情報を組み合わせて、利用者個人別に医療情報を生成する手順と、
を含む、
請求項１７記載の医療情報サービス提供方法。
【請求項１９】
ネットワークを介して代替相補医療に関する情報を収集し、収集された情報を体系化し、体系化された代替相補医療情報のデータ、及び、代替相補医療情報に関連付けられた科学的根拠を示す評価のデータを、データの要素の区間とデータの要素が当該区間に属する度合いとを表す確信度区間表現の形で蓄積し、少なくとも一部の代替相補医療情報のデータへ関連付けられた現代医学情報のデータ、及び、データ間の関連度を、確信度区間表現の形で更に蓄積する、知識データベースを構築する機能と、
利用者の個人情報及び現況情報を確信度区間表現の形に変換する機能と、
確信度区間表現された上記個人情報及び上記現況情報に基づいて、上記知識データベースを活用して、代替相補医療による利用者に対する診断情報及び処方情報を生成する機能と、
をコンピュータに実現させる医療情報サービス提供プログラム。
【請求項２０】
上記個人情報及び上記現況情報に基づいて、ネットワークに散在しているゲノム情報と人体に関する情報が統合されたゲノム情報に基づく人体知識データベースを活用して、ゲノム情報に基づく診断情報及び処方情報を生成する機能と、
上記代替相補医療による利用者に対する診断情報及び処方情報と、上記ゲノム情報に基づく診断情報及び処方情報を組み合わせて、利用者個人別に医療情報を生成する機能と、
を更にコンピュータに実現させる請求項９記載の医療情報サービス提供プログラム。
【発明の詳細な説明】
【０００１】
【発明の属する技術分野】
本発明は、代替相補医療に関する情報や現代医学医療情報などの医療情報を利用者へ提供する医療情報サービス提供システム、医療情報提供装置、医療情報サービス提供方法、及び、医療情報サービス提供プログラムに関する。
【０００２】
【従来の技術】
近年、インターネットの普及によって、医療に従事している専門家だけではなく一般の人々が世界中のウェブ上の医療に関する医療情報を閲覧できるようになっている。これらのインターネットを介して得られる医療情報には、実際の医療に利用可能な重要な情報が多数含まれていることが予想される。但し、インターネット上で取得できる情報は玉石混合であり、その中から、信頼できる有効な医療情報を抽出することは、一般の人々だけではなく専門家にとっても容易ではない。
【０００３】
現代医学医療情報については、科学的根拠に基づく医療（Ｅｖｉｄｅｎｃｅ  Ｂａｓｅｄ  Ｍｅｄｉｃｉｎｅ  （ＥＢＭ））を導入して医療情報に客観的な信頼性を付与することが一部で行われているが、未だ十分に普及しているとはいえず、インターネット上で入手可能な情報については、むしろ、科学的根拠が示されていない場合の方が多いかもしれない。ここで、現代医学医療とは、典型的には、現代西洋医学医療である。
【０００４】
さらに、いわゆる「代替相補医療」或いは「補完代替医療」の分野は、科学的に未検証であることが特徴でさえある。ここで、代替相補医療とは、例えば、中国医療、インド医学、薬効食品・健康食品、食事療法、温泉療法、電磁治療法などを含むが、これらの例に限定されない。
【０００５】
代替相補医療には、例えば、以下のような特長がある、と考えられる。
（１）代替医療は経験的に有効であることが分かっている。
（２）代替医療は、自然であり、人体のホメオスタシスを正常化し得る。
（３）代替医療は、人に優しく、かつ、穏かである。
（４）代替相補医療は、高齢者の生活の質を高める。
（５）代替相補医療は、予防医学や医療費倹約の打開策となり得る。
【０００６】
そこで、このような代替相補医療は、強く望まれており、かつ、人気がある。
【０００７】
また、近年、いわゆるゲノム情報が公開され、インターネット上でも閲覧できるようになっている。ネットワークに存在するゲノム情報と、ゲノムと人体及び病気との関係についての研究も始まっている。
【０００８】
更に、現在、医療を取り巻く社会的な背景として、
・代替相補医療、統合医療に対する急速な関心の高まり
・代替相補医療に関する知識が体系化されていない
・処方のための一部製品は、狭い分野における特定個人のノウハウに依存している（データ量、裏付け共に乏しい）ため、一般の人は、何をどう利用すればよいかわからない
というような状況が生じている。
【０００９】
【発明が解決しようとする課題】
本発明は、現代医学医療情報、代替相補医療情報、及び、ゲノム情報のような、インターネット上の医療情報は、ある個人の個人情報（年齢、性別、身長、体重、或いは、既往歴など）、及び、現況情報（体温、患部の痛み、食事内容など）と組み合わせることによって、その個人に対する診断情報や処方情報を作成するために有用である、という点に着目している。
【００１０】
しかし、インターネット上で取得可能な医療情報、特に、代替相補医療情報について、以下のような問題点を指摘することができる。
【００１１】
第一に、情報に客観的な根拠を与え、客観的な信頼性を獲得することが困難である。殆どの場合に情報の評価基準は標準化されず、熟達者が情報の根拠や信頼性を独断的に解釈している。このように情報が正当に評価される機会はなく、情報の根拠や信頼性に対する科学的なアプローチと推論的思考が欠けている。
【００１２】
第二に、このような医療情報は、科学的根拠に基づく医療（Ｅｖｉｄｅｎｃｅ  Ｂａｓｅｄ  Ｍｅｄｉｃｉｎｅ  （ＥＢＭ））による確認が困難である。具体的には、これらの医療情報にランダム化比較試験（ｒａｎｄｏｍｉｚｅｄ  ｃｏｎｔｒｏｌｌｅｄ  ｔｒｉａｌ（ＲＣＴ））を適用することが難しい。情報は、広い範囲に散在しているので、ランダム化比較試験のための事例数が不十分である。しかし、事例の総数自体は十分に存在するはずであり、単一のアーキテクチャによって体系的に整理されていないだけである、と考えられる。
【００１３】
第三に、多種多様な医療（特に、代替相補医療）のパラダイムの壁を超えて情報を一つにまとめることは難しい。なぜならば、各パラダイムは異なる背景を有し、体系化のための知識は明らかではないからである。
【００１４】
しかし、インターネット上に散在している多種多様な医療情報を体系的に整理し、各医療情報の科学的根拠を裏付けることができれば、信頼性の高い診断情報及び処方情報を作成できる。
【００１５】
そこで、本発明は、科学的根拠に基づいて信頼性の高い医療情報を提供するシステム、装置、方法及びプログラムの提供を目的とする。
【００１６】
【課題を解決するための手段】
上記目的を達成するため、本発明は、診断情報の作成、処方情報の作成、及び、情報の正当化に科学的アプローチを取り入れる。また、散在している情報から、認定され、標準化された知識を構築し、知識の根拠を明らかにする。
【００１７】
従来の主観的な根拠に基づくアプローチを、このような科学的根拠に基づくアプローチ（ＥＢＡ）を採用することにより、新しい有効な医療の解決策が発見される。
【００１８】
本発明の第１の局面によれば、ネットワークを介して利用者端末に接続され、上記利用者端末から要求を受信し、上記利用者端末に医療情報を送信する利用者端末インタフェースと、医療に関する知識を蓄積した知識データベースと、
上記利用者端末からの要求に応じて、上記知識データベースを参照して医療情報を作成し、上記利用者端末へ提供する医療情報生成部と、を有する医療情報サービス提供システムが提供される。
【００１９】
この医療情報サービス提供システムにおいて、上記知識データベースは、ネットワークを介して収集された医療に関する情報を体系化した医療情報データ、及び、医療情報データに対する科学的根拠を示す評価データを、データの要素の区間とデータの要素が当該区間に属する度合いとを表す確信度区間表現の形で蓄積するように構成される。これにより、体系化された医療情報データは、データの要素の区間と、データの要素がこの区間に属する度合いとを表す確信度区間（リライアビリティ・インターバル）によって表現されるので、データの自己組織化やデータの拡張が容易に行えるようになる。評価データは、医療情報データの科学的根拠を示すデータであり、医療情報データと同様に確信度区間の形で表現される。このようにして、知識データベースには、医療情報データとその評価データが確信度区間表現の形で蓄積される。このようなデータ構造は、インターネット上に散在する知識を科学的根拠と関連付けながら蓄積し、知識データベースを構築するために好適である。
【００２０】
また、上記知識データベースは、少なくとも一部の医療情報データへ関連付けられた別の医療情報データ、及び、医療情報データ間の関連度を、確信度区間表現の形で更に蓄積するように構成される。これにより、一方の医療情報データに別の医療情報データを関連付けることができるので、医療情報の整理・体系化がなされる。また、医療情報データ間の関連度も確信度区間の形で表現されるので、データの自己組織化と拡張に好適である。
【００２１】
上記利用者端末インタフェースは、上記利用者端末から上記要求として受信した利用者の個人情報及び現況情報を、確信度区間表現の形で上記医療情報生成部へ伝達するように構成される。利用者端末インタフェースからの情報を、知識データベースのデータ構造である確信度区間の形で表現することによって、以降の医療情報生成部における知識データベース検索処理が効率的に行えるようになる。
【００２２】
上記医療情報生成部は、上記個人情報及び上記現況情報に基づいて、上記知識データベースを活用して、利用者に対する診断情報及び処方情報を上記医療情報として生成するように構成される。これにより、科学的根拠が裏付けられた医療情報データに基づいて、利用者毎に診断情報と処方情報を作成できるようになる。
【００２３】
上記知識データベースは、少なくとも一部のデータにインデックスが付けられ、インデックスが付けられたデータに少なくとも一つの階層が設けられ、各階層に少なくとも１次元以上の確信度区間表現が含まれるように構成される。これにより、知識データベースは、確信度区間表現を最小単位とした多次元多階層の構造をもつ。このようなデータベース構造は、多種多様な知識を、異なる背景を有するパラダイムの壁を越えて一つにまとめるために好適である。
【００２４】
このような本発明による知識データベースは、
・散在している情報を標準化された知識として蓄積し体系化する。
・獲得された知識の信頼性を、証拠（例えば、論文）をリンクすることによって評価し保証する。
・保証された知識を実際に使用する。
・蓄積された知識を解析し、新しい知識を発見・構築する。
などの際に有効かつ効率的である。
【００２５】
さらに、本発明による医療情報サービス提供システムは、ネットワークに散在しているゲノム情報と人体に関する情報が統合されたゲノム情報に基づく人体知識データベースを更に有する。そして、上記医療情報生成部は、上記利用者端末インタフェースからの上記個人情報及び上記現況情報に基づいて、上記ゲノム情報に基づく人体知識データベースを活用して、ゲノム情報に基づく診断情報及び処方情報を生成する診断処理部と、上記利用者に対する診断情報及び処方情報と、上記ゲノム情報に基づく診断情報及び処方情報を組み合わせて、利用者個人別に上記医療情報を生成する個人医療情報生成部と、を含む。
【００２６】
遺伝子ゲノム情報に基づいて生成された診断情報及び処方情報を、医療情報に基づいて生成された診断情報及び処方情報と、例えば、和や差の形で組み合わせることにより、利用者個人毎により良く適合した診断情報及び処方情報が得られるようになる。
【００２７】
本発明の第２の局面によれば、医療関連知識を蓄積した知識データベースと、
利用者の個人情報及び現況情報を入力し、上記知識データベースを参照して医療情報を作成する医療情報生成部と、を有する医療診断装置が提供される。
【００２８】
この医療診断装置において、上記知識データベースは、ネットワークを介して収集された医療に関する情報を体系化した医療情報データ、及び、医療情報データに対する科学的根拠を示す評価データを、データの要素の区間とデータの要素が当該区間に属する度合いとを表す確信度区間表現の形で蓄積するように構成される。
【００２９】
また、上記知識データベースは、少なくとも一部の医療情報データへ関連付けられた別の医療情報データ、及び、医療情報データ間の関連度を、確信度区間表現の形で更に蓄積するように構成される。
【００３０】
上記医療情報生成部は、確信度区間表現の形に変換された上記個人情報及び上記現況情報に基づいて、上記知識データベースを活用して、利用者に対する診断情報及び処方情報を上記医療情報として生成するように構成される。
【００３１】
本発明の第３の局面により提供される医療情報サービス提供方法は、
ネットワークを介して医療に関する情報を収集し、収集された情報を体系化し、体系化された医療情報データ、及び、医療情報データに関連付けられた科学的根拠を示す評価データを、データの要素の区間とデータの要素が当該区間に属する度合いとを表す確信度区間表現の形で蓄積し、少なくとも一部の医療情報データへ関連付けられた別の医療情報データ、及び、医療情報データ間の関連度を、確信度区間表現の形で更に蓄積する、知識データベースを構築する手順と、
ネットワークを介して利用者端末から利用者の個人情報及び現況情報を受信し、受信した個人情報及び現況情報を確信度区間表現の形に変換する手順と、
確信度区間表現された上記個人情報及び上記現況情報に基づいて、上記知識データベースを活用して、利用者に対する診断情報及び処方情報を生成する手順と、
を有する。
【００３２】
上記知識データベースを構築する手順は、ネットワークに散在しているゲノム情報と人体に関する情報が統合されたゲノム情報に基づく人体知識データベースを更に構築する。
【００３３】
上記診断情報及び処方情報を生成する手順は、上記個人情報及び上記現況情報に基づいて、上記ゲノム情報に基づく人体知識データベースを活用して、ゲノム情報に基づく診断情報及び処方情報を生成する手順と、上記利用者に対する診断情報及び処方情報と、上記ゲノム情報に基づく診断情報及び処方情報を組み合わせて、利用者個人別に医療情報を生成する手順と、を含む。
【００３４】
本発明の第４の局面によれば、コンピュータに上記本発明による医療情報サービス提供方法を実現させる医療情報サービス提供プログラムが提供される。この医療情報サービス提供プログラムは、コンピュータに、
ネットワークを介して医療に関する情報を収集し、収集された情報を体系化し、体系化された医療情報データ、及び、医療情報データに関連付けられた科学的根拠を示す評価データを、データの要素の区間とデータの要素が当該区間に属する度合いとを表す確信度区間表現の形で蓄積し、少なくとも一部の医療情報データへ関連付けられた別の医療情報のデータ、及び、データ間の関連度を、確信度区間表現の形で更に蓄積する、知識データベースを構築する機能と、
利用者の個人情報及び現況情報を確信度区間表現の形に変換する機能と、
確信度区間表現された上記個人情報及び上記現況情報に基づいて、上記知識データベースを活用して、利用者に対する診断情報及び処方情報を生成する機能と、
を実現させる。
【００３５】
【発明の実施の形態】
以下、添付図面を参照して本発明の実施例を説明する。尚、本発明は、かかる実施例に限定されるものではない。
【００３６】
図１は、本発明の第１実施例による医療情報サービスシステムの構成図である。医療情報提供装置１は、例えば、インターネットのようなネットワーク（図示せず）を介して多数の利用者端末２と接続できる（説明の便宜上、以下では、１台の利用者端末２が医療情報端末に接続されている場合を考える。）。医療情報提供装置１は、現代医学医療に関する情報や代替補完医療に関する情報を、多階層多次元の確信度区間データの形で蓄積した知識データベース１８を含む。医療情報提供装置１は、インターネットを介して利用者端末２に接続され、例えば、ブラウザ機能を備えている利用者端末２に情報を提示させ、或いは、利用者端末２から与えられた情報を受け取る利用者端末インタフェース２０を具備する。また、医療情報提供装置１は、利用者端末インタフェース２０を介して利用者端末２から、利用者の年齢、性別、既往歴などの個人情報と、咳、熱、吐き気などの現況情報と、を取得し、知識データベース１８を活用することによってこれらの個人情報及び現況情報に応じた診断情報及び処方情報を生成し、利用者端末インタフェース２０を介して利用者端末２へ提供する医療情報生成部１９を含む。ここで、診断情報及び処方情報とは、例えば、現代医学医療では、「急性上気道炎」のような病名と、「毎食後、Ａ薬をＢｍｇ服用」のような治療を表す。また、例えば、代替補完医療の一つである東洋医学医療では、診断情報は「葛根湯」のような「証」に対応し、処方情報は「葛根湯を服用」のような治療に対応する。
【００３７】
医療情報提供装置１は、ネットワークを介して、医療関連サイト３１、論文データベース３２、医学情報データベース３３、医療情報データベース３４などの種々の情報源から医療に関する情報を収集し抽出・整理するデータマイニング部１１を含む。データマイニング部１１は、現代医学、東洋医学、インド医学、鍼灸、温泉治療などの分野毎に、考え方や知識の整理のパラダイムを予め設定した抽出・整理規則１２を用いて、データマイニング処理を実行する。データマイニング部において、例えば、現代医学における「急性上気道炎」という病名に関する情報を収集する場合、この疾病の「定義」、「診断基準」、「症状」、「検査所見」、「治療」などのインデックスに該当する情報が収集される。「診断基準」のようなインデックスは、さらに、「症状」及び「検査所見」のようなインデックスに細分される。また、「検査所見」のようなインデックスも、「病歴」、「血液」、「尿」などのインデックスに細分される。「治療」インデックスも「薬」、「手術」、「ハーブ」などに細分される。他の例として、東洋医学の「葛根湯」という「証」に関する医療情報を収集する場合、「虚実」、「陰陽」及び「気血水」のインデックスに関する情報が収集される。
【００３８】
さらに、本発明の第１実施例によれば、収集された情報の科学的根拠に関する情報も収集される。より具体的には、情報が論文から収集された場合には、その論文の客観的評価に基づいて、収集された情報の科学的根拠の確からしさを評価できる。論文については、論文掲載誌のインパクトファクターや、論文自体の被引用指数などを科学的根拠の指標として利用することができる。このような科学的根拠の指標が、収集された医療情報のデータに関連付けられる。また、症例数の母数などのデータも医療情報データの科学的根拠の指標として関連付けることができる。図２は、このような本発明の第１実施例による科学的根拠を示すデータの説明図である。
【００３９】
医療情報提供装置１は、データマイニング部１１で収集されたデータを、正規化知識１４を利用して正規化する正規化部１３を含む。正規化されたデータは、テキスト表現形式でテキスト知識データベース１５に蓄積される。テキスト知識データベース１５は、抽出・整理規則１２に従って整理されている。
【００４０】
医療情報提供装置１は、テキスト知識データベース１５に蓄積されたテキストデータに確信度区間データを付与する確信度区間データ付与部１６を更に含む。確信度区間表現とは、データの要素の区間と、データの要素が当該区間に属する度合いと、を表す形式である。図３は、確信度区間データの一例の説明図である。同図に示されるように、あるデータは、データの要素の区間の各値（値は、数値でなくてもよい）に対して、当該要素がその値をとる度合いを割当てることによって表現されている。確信度区間データ規則１７は、あるデータを、確信度区間データに変換するための規則である。例えば、「熱がある」というデータは、３６℃から４０℃の区間内の各体温に対して、「熱がある」という内容に当てはまる度合いを割振ることにより確信度区間表現することができる。確信度区間は、例えば、図３に示されるように台形状の場合には、中心値、底辺の長さ、及び、上辺の長さによって表すことができる。図３には、確信区間データとして台形状のデータ表現が示されているが、確信区間データ表現は、これ以外のどのような形式でもよく、また、度合いを要素の区間の値の関数で表現してもよい。
【００４１】
このようにして、構築された知識データベース１８は、インデックスが階層化され、かつ、同一レベルのインデックスが複数個存在し得る多階層多次元型のデータ構造をもつ。図４は、このような本発明の第１実施例による多階層多次元知識データベースの説明図である。
【００４２】
「東洋医学」という大インデックスの下には、「証」、「症状・検査所見」などの中インデックスが続き、更に、「証」の下には、「虚実」、「陰陽」、「気血水」などの証インデックスが続く。
【００４３】
各インデックスの具体的なデータは、上述のようにテキスト表現と確信度区間表現とにより構成される。確信度区間表現を取り入れることにより、データベースの自己組織化及び拡張が容易になる。確信度区間表現は、例えば、ファジィデータ表現で置き換えることも可能である。
【００４４】
更に、知識データベース１８は、データを相互にリンクさせることができる。例えば、西洋医学における「急性上気道炎」は、大インデックス「西洋医学」の下の中インデックスにリンクされているが、一方、この「急性上気道炎」は、「東洋医学」の「葛根湯」の「西洋医学対比」の項目にもリンクされている。そして、リンクの度合いも確信度区間表現を用いて表されている。
【００４５】
利用者端末２から医療情報提供装置１の医療情報生成部１９に与えられる利用者情報は、上述のように個人情報と現況情報を含む。これらの個人情報及び現況情報は、医療情報生成部１９において、確信度区間データ規則１７を参照して、対応した確信度区間データが付与される。図５に示されるように、利用者情報にも確信度区間データを付与することによって、医療情報生成部１９は、知識データベース１８を効率的に検索し、利用者情報に対する診断情報及び処方情報を提供することができる。
【００４６】
医療情報生成部１９で作成された診断情報及び処方情報は、例えば、何らかの基準でランク付けして利用者端末２へ提示することが可能である。利用者は、利用者端末２に提示された診断情報及び処方情報の一覧の中から、自分に合った情報を選択することができる。
【００４７】
図６は、「東洋医学」の中の一つの「証」の「葛根湯」に関して、本発明の第１実施例により構築された知識データベースの一部の説明図である。各要素には、確信度区間データも付加されている（図示せず）。
【００４８】
図７は、本発明の第１実施例による医療情報サービス処理を説明するフローチャートである。本実施例によれば、医療情報提供装置は、ネットワークを介して代替相補医療に関する情報を収集し、収集された情報を体系化し（ステップ１）、情報を正規化し（ステップ２）、体系化された代替相補医療情報データ、及び、代替相補医療情報データに関連付けられた科学的根拠を示す評価データを、データの要素の区間とデータの要素が当該区間に属する度合いとを表す確信度区間表現の形で蓄積する（ステップ３）。少なくとも一部の代替相補医療情報データへ関連付けられた現代医学医療情報データ、及び、医療情報データ間の関連度も確信度区間表現の形で更に蓄積されている。
【００４９】
ステップ４において、医療情報提供装置は、ネットワークを介して利用者端末から利用者の個人情報及び現況情報を受信し、受信した個人情報及び現況情報を確信度区間表現の形に変換する。次に、ステップ５において、医療情報提供装置は、確信度区間表現された上記個人情報及び上記現況情報に基づいて、上記知識データベースを活用して、利用者に対する診断情報及び処方情報を生成する。
【００５０】
図８は、本発明の第２実施例による医療情報サービスシステムの構成図である。本実施例の医療情報サービスシステムは、臨床に基づく診断情報と、ゲノム情報に基づく診断情報を組み合わせて利用者の個人別の診断情報及び処方情報を提供する。そのため、本実施例の医療情報サービスシステムは、図１を参照して説明した臨床に基づく医療情報提供装置１と、ゲノム情報に基づく医療情報提供装置４と、臨床診断・ゲノム情報診断合成部５と、を含む。
【００５１】
医療情報提供装置は、臨床に基づく知識データベースと、利用者の個人情報及び現況情報に基づいて、病名などの診断情報と、治療法、予防法、薬、食事、サプリメント、エクササイズなどの処方情報とを、例えば、副作用などの影響を考慮して付けられた優先度と共に、臨床診断・ゲノム情報診断合成部５へ供給する。
【００５２】
ゲノム情報に基づく医療情報提供装置４は、利用者端末２から利用者の個人情報及び現況情報を受信し、ゲノム情報に基づく人体知識データベース４４を活用して、利用者に個別の診断情報及び処方情報を生成するゲノム情報に基づく診断処理部４５を含む。ゲノム情報に基づく診断処理部４５は、ゲノム情報と、利用者の個人情報及び現況情報と、に基づいて、病名などの診断情報と、治療法、予防法、薬、食事、サプリメント、エクササイズなどの処方情報とを、例えば、副作用などの影響を考慮して付けられた優先度と共に、臨床診断・ゲノム情報診断合成部５へ供給する。
【００５３】
臨床診断・ゲノム情報診断合成部５は、例えば、臨床診断による情報と、ゲノム情報診断による情報とを比較し、完全に一致している、一部が一致している、基本部分が一致している、不一致などを判定する。完全に一致している場合には、その結果をそのまま利用者端末へ返す。一部が一致している場合や、基本部分が一致している場合には、利用者に選択を委ねたり、或いは、両方の診断情報の和及び差と、考えられる最適値とを利用者に提供したりする。
【００５４】
ゲノム情報に基づく人体知識データベース４４は、様々な手法により構築することができるが、本例では、ゲノムレベル・データマイニング部４２がインターネット上のＤＮＡシーケンスＤＢ６１、情報伝達ＤＢ６２などのデータベースからゲノム情報を収集し、ゲノム知識データベース４２を構築する。次に、人体レベルデータマイニング部４３が、ゲノム知識データベース４２に基づいて、インターネット上の人体知識ＤＢ６３や生体内情報ＤＢ６４などからゲノム情報と人体情報を関連付ける情報を収集し、ゲノム情報に基づく人体知識データベース４４を構築する。或いは、ゲノム知識データベース４２とゲノム情報に基づく人体知識データベース４４との間に、細胞に関する知識データベースや器官に関する知識データベースを介在させてもよい。
【００５５】
このように、本発明の第２実施例によれば、臨床に基づく診断情報と、ゲノム情報に基づく診断情報を合成することができるので、特定の利用者個人により良く適合した診断情報及び処方情報を生成できるようになる。
【００５６】
図９は、本発明の第３実施例による医療サービスシステムの構成図である。本実施例の医療サービスシステムでは、利用者２００が医療情報提供者１００から医療情報及び処方情報を取得して、その処方情報に適した商品を通販業者から購入する。医療情報提供者１００から利用者２００へ提供される情報は、診断結果、治療法、予防法、治療や予防に使用される物などである。ここで、医療情報提供者１００とは、上述の医療情報提供装置１の運営者であり、利用者とは利用者端末２を操作して医療情報の提供を受ける人を表す。また、処方情報に適した商品には、例えば、薬、食事、サプリメント（健康食品）、エクササイズのための運動器具、各種治療のための機械などが含まれる。
【００５７】
この医療情報サービスシステムにおいて、利用者２００は、最初に、医療情報提供者２００に対して、（１）個人情報及び現況情報を通知する。次に、医療情報提供者１００は、利用者に対する診断情報及び処方情報を作成して、（２）利用者へ通知する。利用者は、診断情報及び処方情報を参照して、自分に相応しい処方を決定し、（３）その処方を実現するための商品を医療情報提供者１００に注文する。注文を受けた医療情報提供者１００は、（４）商品通販業者３００に商品の品目・数量と、配送業者４００とを指定し、同時に、（５）配送業者４００に対して、品物の引き取り先の商品通販業者３００と、配達先の利用者２００と、配達料金の集金方法と、を指定する。配送業者４００は、商品の準備ができたとき、（６）商品通販業者から商品を引き取り、（７）この商品を利用者２００へ配送する。商品を受け取った利用者２００は、（８）商品の料金と運送費を含む代金を運送業者４００へ支払う。医療情報提供者１００は、（９）運送業者４００から運送費を差し引いた商品の代金を集金し、（１０）医療情報提供者１００の手数料を差し引いた残りの金額を商品代金として商品通販業者３００へ支払う。このようなモデルを構築することにより、医療情報提供と、医療関連商品の販売とが結び付いた医療サービスシステムを実現することが可能である。
【００５８】
このような本発明の第３実施例による医療サービスシステムによれば、
・個人条件に対応し、科学的根拠に基づく医療に準拠した科学的診断概要と個別かつ統合された処方の自動提示することが可能であり、
・処方に直結した商品（食品、グッズ、器具）の通信販売仲介が可能であり、
・匿名カルテによる履歴の保存が可能であり、
・人気商品のランキングを掲載し、トレンド情報を提供することが可能である。
【００５９】
上記の本発明の実施例による医療情報サービス提供方法は、ソフトウェア（プログラム）で構築することが可能であり、コンピュータのＣＰＵによってこのプログラムを実行することにより本発明の実施例による医療情報サービス提供システムを実現することができる。構築されたプログラムは、ディスク装置等に記録しておき必要に応じてコンピュータにインストールされ、フレキシブルディスク、メモリカード、ＣＤ−ＲＯＭ等の可搬記録媒体に格納して必要に応じてコンピュータにインストールされ、或いは、通信回線等を介してコンピュータにインストールされ、コンピュータのＣＰＵによって実行される。
【００６０】
以上、本発明の代表的な実施例を説明したが、本発明は、上記の実施例に限定されることなく、特許請求の範囲内において、種々変更・応用が可能である。
【００６１】
【発明の効果】
本発明は、以下の効果を奏する。
・散在している医療情報を収集することが可能である。
・収集された医療情報を、特に、科学的裏付けの乏しい医療情報に適した表現を用いて、標準化された知識として蓄積し体系化することができる。
・獲得された知識の信頼性を、証拠（論文）をリンクすることによって評価し保証することができる。
・保証された知識を実際に使用することができる。
・蓄積された知識を解析し、新しい知識を発見・構築することができる。
【図面の簡単な説明】
【図１】本発明の第１実施例による医療情報サービスシステムの構成図である。
【図２】本発明の第１実施例による科学的根拠を示すデータの説明図である。
【図３】確信度区間データの一例の説明図である。
【図４】本発明の第１実施例による多階層多次元知識データベースの説明図である。
【図５】本発明の第１実施例による利用者情報の説明図である。
【図６】本発明の第１実施例により構築された知識データベースの一部の説明図である。
【図７】本発明の第１実施例による医療情報サービス処理を説明するフローチャートである。
【図８】本発明の第２実施例による医療情報サービスシステムの構成図である。
【図９】本発明の第３実施例による医療サービスシステムの構成図である。
【符号の説明】
１    医療情報提供装置
２    利用者端末
１１    データマイニング部
１２    抽出・整理規則データベース
１３    正規化部
１４    正規化知識データベース
１５    テキスト知識データベース
１６    確信度区間付与部
１７    確信度区間データ規則データベース
１８    知識データベース
１９    医療情報生成部
２０    利用者端末インタフェース
３１    医療関連サイト
３２    論文データベース
３３    医学情報データベース
３４    医療情報データベース
【図１】
2004185330.tif 000003
【図２】
2004185330.tif 000004
【図３】
2004185330.tif 000005
【図４】
2004185330.tif 000006
【図５】
2004185330.tif 000007
【図６】
2004185330.tif 000008
【図７】
2004185330.tif 000009
【図８】
2004185330.tif 000010
【図９】
2004185330.tif 000011